(57)【要約】【課題】マルチキャリアＣＤＭＡ方式において、制御チャネルのような低速伝送速度の信号を効率よく復調できるような方式を提供する。【解決手段】ＯＦＤＭ方式においてモジュール群１０および伝送速度決定・セグメント分配制御部１１でサブキャリアを複数個のセグメントに分割し、多重・分配部６からＰ／Ｓ部８でセグメント毎に独立または非独立に符号分割多重を施して伝送するように構成している。このように、セグメント化することで、ＯＦＤＭ信号帯域全体を使用して伝送することが望ましい信号と、ＯＦＤＭ信号帯域の一部のみを使用して伝送することが望ましい信号とを同時に伝送できる。その結果、制御チャネル等のようにＯＦＤＭ信号帯域の一部のみを使用している信号に対して、受信側では限定したセグメントのみを復調することが可能となり、端末の低消費電力化が可能となる。【選択図】図１
2005176012.tif 000002
【特許請求の範囲】
【請求項１】
直交周波数分割方式と符号分割方式とを組合わせて通信をおこなう通信方法であって、ユーザ毎に転送データのセグメント幅を決めるセグメント幅決定ステップと、前記セグメント幅に基づいて前記転送データを前記符号分割方式の拡散処理を行う拡散ステップと、前記拡散処理を行った転送データをセグメントのどこに割り当てるかを決定するセグメント割り当てステップと、前記セグメントに割り当てられたデータに対し前記直交周波数分割方式の多重を施すステップと、を含む通信方法。
【請求項２】
前記ユーザ毎のセグメント幅は最小セグメント幅の整数倍の関係にあることを特徴とする請求項１記載の通信方法。
【請求項３】
前記整数倍の関係は、２のべき乗の関係であることを特徴とする請求項２記載の通信方法。
【請求項４】
前記符号分割方式は、拡散符号によって拡散された信号を前記直交周波数分割方式のそれぞれのキャリアに割り当てることを特徴とする請求項１乃至請求項３のいずれかに記載の通信方法。
【請求項５】
前記セグメント幅の決定は、前記転送データのサービス品質に応じて決定されることを特徴とする請求項１乃至請求項４のいずれかに記載の通信方法。
【請求項６】
前記セグメント幅は、前記符号分割方式の拡散符号の周期であることを特徴とする請求項１乃至請求項５のいずれかに記載の通信方法。
【請求項７】
前記拡散処理を行った転送データのセグメント割り当ては、拡散された信号間の干渉を最小にするようにセグメントを割り当てることを特徴とする請求項１乃至請求項６のいずれかに記載の通信方法。
【請求項８】
前記拡散処理の拡散率は、１以上であることを特徴とする請求項１乃至請求項７のいずれかに記載の通信方法。
【請求項９】
前記セグメントの少なくとも１つは、通信方法の制御情報を含み、前記制御情報を含むセグメントの拡散率が１であることを特徴とする請求項１乃至請求項８のいずれかに記載の通信方法。
【請求項１０】
前記セグメントの少なくとも１つは、通信方法の制御情報が占有することを特徴とする請求項８又は請求項９記載の通信方法。
【請求項１１】
前記セグメントの割り当ては、前記制御情報を含むセグメントの位置を固定して割り当てることを特徴とする請求項９または請求項１０記載の通信方法。
【請求項１２】
前記セグメントの割り当ては、前記制御情報を含むセグメントの位置を所定の規則で変化して割り当てることを特徴とする請求項９または請求項１０記載の通信方法。
【請求項１３】
前記制御情報は、前記ユーザ毎の拡散率、割り当てたセグメント番号、前記拡散処理の拡散コードの少なくとも一つを含むことを特徴とする請求項９乃至請求項１２のいずれかに記載の通信方法。
【請求項１４】
直交周波数分割と符号分割とを組合わせてマルチキャリアＣＤＭＡ通信をおこなう送信装
置であって、ユーザ毎に転送データのセグメント幅を決めるセグメント幅決定手段と、前記セグメント幅に基づいて前記転送データを符号化分割の為の拡散処理をおこなう拡散手段と、前記拡散手段で拡散処理をおこなった転送データをセグメントのどこに割り当てるかを決定するセグメント割り当て手段と、前記セグメントに割り当てられたデータに対し直交周波数多重を施す直交周波数分割手段と、を含む送信装置。
【請求項１５】
直交周波数分割と符号分割とを組合わせてマルチキャリアＣＤＭＡ通信により送信された信号を受信する受信装置であって、直交周波数多重を施された信号を受信してマルチキャリアに含まれる特定のセグメントを取得する直交周波数多重復調手段と、前記直交周波数多重復調手段で取得したセグメントを逆拡散して符号化復調をおこなう符号化復調手段とを含み、あらかじめ定められたユーザ毎のセグメント幅及び前記ユーザ毎の転送データのセグメント割り当て位置に基づいて、前記直交周波数多重復調手段が前記セグメントを選択して取得することを特徴とする受信装置。
【請求項１６】
前記特定のセグメントは、前記マルチキャリアＣＤＭＡ通信の制御情報が含まれるセグメントと前記制御情報が指定するセグメントのいずれかであることを特徴とする請求項１５記載の受信装置。
【発明の詳細な説明】
【技術分野】
【０００１】
直交周波数分割多重方式（ＯＦＤＭ：Ｏｒｔｈｏｇｏｎａｌ  Ｆｒｅｑｕｃｅｎｃｙ  Ｄｉｖｉｓｉｏｎ  Ｍｕｌｔｉｐｌｅｘ）および、これに符合分割多重（ＣＤＭＡ：Ｃｏｄｅ  Ｄｉｖｉｓｉｏｎ  Ｍｕｌｔｉｐｌｅ  Ａｃｃｅｓｓ）を組み合わせたマルチキャリアＣＤＭＡ方式による通信方法に関する。
【背景技術】
【０００２】
従来、ＯＦＤＭ方式を用いる通信方法として、日本の地上波テレビジョン放送方式で用いられているように、サブキャリアを複数個のセグメントに分割し、セグメント毎に独立して受信できる方式が公知である（例えば非文献１参照）。セグメント化することによって、帯域全体を復調することなく情報の一部を限定受信することが可能となり、小型・低消費電力化に有効である。
【０００３】
一方、ＯＦＤＭ方式を用いる別の通信方法として、移動通信のようなセルを構成した場合に周波数利用効率が高く、高速伝送に適したマルチキャリアＣＤＭＡ方式も注目されており（例えば特許文献１参照）、マルチキャリアＣＤＭＡ方式と直交可変拡散率符合（ＯＶＳＦコード：Ｏｒｔｈｏｇｏｎａｌ  Ｖａｒｉａｂｌｅ  Ｓｐｒｅａｄｉｎｇ  Ｆａｃｔｏｒコード）（例えば非特許文献２参照）を適用することで、様々な伝送速度の信号を混在させた通信が可能となる。
【０００４】
また、移動通信に必要な共通制御チャネルや個別制御チャネルの送信方法として送信するサブキャリアを選択して時間多重または周波数多重する方式も公知である（例えば特許文献２参照）。
【特許文献１】特開２０００−２０１１３４号公報（第１項）
【特許文献２】特開２００１−２０３６６５号公報（第１頁）
【非特許文献１】テレビジョン学会技術報告、第２０巻、第２２号、第２３〜２９頁、１９９６年３月
【非特許文献２】ＮＴＴＤｏＣｏＭｏテクニカル・ジャーナルＶｏｌ．８  Ｎｏ．３、２０００年１０月
【発明の開示】
【発明が解決しようとする課題】
【０００５】
しかしながら、従来のマルチキャリアＣＤＭＡ方式による通信方法を移動通信端末に適用することを想定すると、端末には低消費電力化が求められる。従来のマルチキャリアＣＤＭＡ方式による通信方法は高速大容量の伝送には適しているものの、低速な信号伝送速度で十分な制御チャネル等のみを復調する場合にもＯＦＤＭ帯域すべてを復調する必要があり、消費電力が大きいという問題があった。
【０００６】
本発明は、従来の問題を解決するためになされたもので、制御チャネルといった選択した信号を効率よく復調することのできるマルチキャリアＣＤＭＡ方式による通信方法を提供することを目的とする。
【課題を解決するための手段】
【０００７】
本発明は、直交周波数分割方式（ＯＦＤＭ方式）において、サブキャリアをユーザ毎に転送データのセグメント幅を決めて複数個のセグメントに分割し、セグメント毎に独立または非独立に符号分割多重（ＣＤＭＡ）を施して、拡散処理をおこなった転送データをセグメントのどこに割り当てるかを決定した後、直交周波数分割方式の多重を施して伝送す
るように構成している。
【０００８】
このように、セグメントという概念を導入することによって、制御チャネル等のように低速伝送速度の信号は限定した帯域のセグメントのみで送信し、受信側では限定したセグメントのみを復調することが可能となり、端末の低消費電力化が可能となる。
【発明の効果】
【０００９】
本発明によれば、ＯＦＤＭ方式においてサブキャリアをユーザ毎に転送データのセグメント幅を決めて複数個のセグメントに分割し、セグメント毎に独立または非独立に符号分割多重を施して、拡散処理を行った転送データをセグメントのどこに割り当てるかを決定した後、直交周波数分割方式の多重を施して伝送するように構成している。
【００１０】
このように、セグメント化することで、情報信号のように様々な伝送速度および拡散率を有していて、ＯＦＤＭ信号帯域全体を使用して伝送することが望ましい信号と、制御チャネル等のように低速伝送速度であり、ＯＦＤＭ信号帯域の一部のみを使用して伝送することが望ましい信号とを同時に伝送できる。その結果、制御チャネル等のようにＯＦＤＭ信号帯域の一部のみを使用している信号に対して、受信側では限定したセグメントのみを復調することが可能となり、端末の低消費電力化が可能となる。
【発明を実施するための最良の形態】
【００１１】
本発明の通信方法は、直交周波数分割方式と符号分割方式とを組合わせて通信をおこなう通信方法であって、ユーザ毎に転送データのセグメント幅を決めるセグメント幅決定ステップと、セグメント幅に基づいて転送データを符号分割方式の拡散処理を行う拡散ステップと、拡散処理を行った転送データをセグメントのどこに割り当てるかを決定するセグメント割り当てステップと、セグメントに割り当てられたデータに対し直交周波数分割方式の多重を施すステップとを含む通信方法であって、セグメント化によってマルチキャリアＣＤＭＡ方式の限定受信が可能となり、端末の低所費電力化が可能となる。
【００１２】
また、本発明の通信方法は、拡散処理の拡散率が１以上であり、拡散率が１では符合同期の必要ないチャネルが確保されていることとなり、このチャネルを用いて制御チャネル等を伝送することで、符合同期が不要な高速なリンク確立が可能となる。
【００１３】
また、本発明の通信方法は、ユーザ毎のセグメント幅が最小セグメント幅の整数倍の関係であり、ユーザ毎に効率よく通信することができる。
【００１４】
また、本発明の通信方法は、セグメント幅の整数倍の関係が、２のべき乗の関係であり、ＯＦＤＭ信号帯域に整合して通信することができる。
【００１５】
以下、本発明の実施の形態の通信方法について、図面を用いて説明する。
【００１６】
図１は、本発明の一実施の形態における通信方法を実現する送信装置のブロック構成図を示す。
【００１７】
本実施の形態の通信方法は、制御情報および各ユーザからの情報信号それぞれを変調・拡散するモジュールが複数個用意されていて、それら複数個のモジュールからの出力を選択的に加算し、加算結果を各セグメントに分配した結果をＩＦＦＴ（高速逆フーリエ変換）してＯＦＤＭ化するものである。
【００１８】
図１において、本発明の通信方法を実現する送信装置は、情報を１次変調する変調部１、変調信号に拡散符合を乗ずる乗算部２、乗算結果をシリアル／パラレル変換するＳ／Ｐ
部３、拡散符合を発生させる符号発生部４、およびこれらを構成要素とする拡散化モジュール５、ユーザ毎に用意された拡散化モジュール５の集合体であるモジュール群１０、それぞれの拡散化モジュールの変調方式や拡散符合および、シリアル／パラレル変換数などを制御する伝送速度決定・セグメント分配制御部１１、複数の拡散化モジュールからの出力を選択的に加算し、加算結果をセグメントに分配する多重・分配部６、多重・分配部６からの出力を逆離散フーリエ変換するＩＦＦＴ部７、ＩＦＦＴ部７からの出力をパラレル／シリアル変換するＰ／Ｓ部８、ガード区間に信号をコピーするガード付加部９などと直交変調部（図示せず）から構成される。
【００１９】
本実施の形態の通信方法は、符合多重化された信号をＯＦＤＭ帯域全体に拡散せず、帯域が限定されたセグメントで伝送するものである。符合多重化信号の伝送帯域をセグメント内に限定させるように、拡散符合の符合長はセグメントを構成するサブキャリアの本数と一致させると制御が容易となり好適であるが、この限りではない。
【００２０】
入力された情報信号は所定の変調方式によって変調部１において１次変調される。その後、乗算部２において拡散符合が乗ぜられる。ここで、拡散符合は、符合発生部４から発生されるものであるが、ＯＶＳＦコードを用いることで様々な伝送速度信号を混在させることが可能となる。拡散された信号は、伝送速度決定・セグメント分配制御部１１によって定められた所定の割合でＳ／Ｐ部３にてシリアル／パラレル変換する。
【００２１】
シリアル／パラレル変換後の信号は、他の拡散化モジュール出力信号と共に、多重・分配部６に入力される。多重・分配部６においては複数の拡散化モジュールからの出力を選択的に加算し、加算結果をセグメントに分配する。
【００２２】
一例として図２に示すように周波数軸上で多重することを仮定する。図２は、本発明の一実施の形態におけるセグメントとユーザとの信号多重の例を示す模式図であり、横軸は周波数であり、横軸は、それぞれにどのような情報が含まれているかを模式的に示している。図２ではＯＦＤＭ信号帯域を５つのセグメントに分割した場合の例である。１セグメント内のサブキャリアの本数をＮ本と仮定する。
【００２３】
ここで、すべてのセグメントの本数が必ずしも一致する必要はないが、説明のためにすべてＮ本であるとしている。制御情報はセグメント５に分配されており、拡散率はＮである。また、ユーザＡの情報は拡散率がＮで４つのセグメント（１，２，３，４）にわたって伝送されている。
【００２４】
また、ユーザＢの情報は拡散率が２Ｎで４つのセグメントを用いて伝送されている。ユーザＣは拡散率が、２のべき乗の関係である４Ｎで４つのセグメントを用いて伝送されている。１次変調方式が同じと仮定してそれぞれのユーザの伝送速度を比較すると、ユーザＡはユーザＣの伝送速度の４倍であり、ユーザＢはユーザＣの伝送速度の２倍である。それぞれのユーザがＯＶＳＦコードを使用していると仮定すれば、ユーザ間で直交性が満たされており復調可能である。ただし、使用する拡散コードとしてＯＶＳＦコードに限定するものではない。
【００２５】
多重・分配部６では、例えば、セグメント１に割り当てる信号であるユーザＡからの拡散信号Ａ（１）とユーザＢからの拡散信号Ｂ（１）の一部とユーザＣからの拡散信号の一部とを加算して多重し、多重結果をセグメント１に分配する。セグメント２、３、４についても同様に多重・分配を実施する。セグメント５については多重化の必要がないため、制御情報の拡散信号をそのまま分配する。
【００２６】
伝送速度決定・セグメント分配制御部１１においては、要求される伝送速度に応じて、
各拡散化モジュールの１次変調方式や拡散符合を決定して制御する。また、同時に、決定したそれぞれの拡散符合に応じて、どの拡散化モジュールからのどのタイミング出力を加算すべきかということと、加算結果をどのセグメントに分配すべきかを制御する。
【００２７】
上述の例では、制御情報は、図２に示すように、符号分割方式で多重化していないが、これに限定するものではない。また、拡散率がＮ以上のもののみ示したが、これに限定するものではない。すなわち、拡散率はセグメント内のサブキャリアの本数以下であっても何ら問題ない。
【００２８】
なお、図２で示した制御情報のように他に多重する信号がない場合には拡散処理の拡散率を１に、すなわち拡散せずに、１次変調信号をそのまま伝送することも好適である。拡散せずに伝送する場合には隣接セルからの干渉を防ぐために、基地局同士を同期させておき、隣接セル間で異なるセグメントを用いて制御情報を伝送するように構成すると好適である。
【００２９】
上述のように伝送する場合の制御情報の一例を図３に示す。図３のように制御情報にユーザ毎の拡散率、使用セグメント番号、拡散コードを記しておくことで、受信側で適切に復調することが可能となる。
【００３０】
受信装置側では従来技術を用いたマルチキャリアＣＤＭＡ受信装置でも復調可能であるが、低消費電力化のために、待ち受け時のような場合にはＯＦＤＭ信号の一部のセグメントのみを復調して制御情報のみを受信するような構成とすると好適である。
【００３１】
図４に制御情報のみを限定受信できる受信装置の構成例を示す。
【００３２】
図４において、受信装置は、信号を受信する受信アンテナ１２と、受信した信号から伝送帯域以外の成分を除去する広帯域フィルタ１３と、受信信号を周波数変換するミキサ１４と、周波数変換するための信号を発生するシンセサイザ１５と、あらかじめ定めたセグメントの信号が通過する１セグメント用チャネルフィルタ１６と、全チャネル帯域が通過する全チャネル帯域フィルタ１７と、フィルタからの信号を切り替える切替え部１８と、アナログ信号をデジタル信号に変換するＡ／Ｄ変換部１９と、Ａ／Ｄ変換の周波数を切り替える周波数切替え可能クロック源２０と、付加されているガードインターバル長を切り捨てるＦＦＴ窓切出し部２１と、ポイント数切替え可能ＦＦＴ部２２などと復調部（図示せず）とから構成される。
【００３３】
受信アンテナ１２で受信された信号は広帯域フィルタ１３によって、想定される伝送帯域以外の成分を除去し、ミキサ１４においてダウンコンバートされる。シンセサイザ１５の発振周波数は所望の周波数が直流成分にダウンコンバートされるように設定する。ミキサ出力は１セグメント用チャネルフィルタ１６および全チャネル帯域フィルタ１７に入力され、両フィルタ出力のうちのどちらかを切替部１８にて切り替えて後段に出力する。切替部１８の出力をＡ／Ｄ変換部１９にてデジタル信号に変換する。
【００３４】
このとき、クロックは周波数切替え可能クロック源２０から入力され、復調すべき信号帯域がナイキスト定理を満たして離散信号に変換されるように設定する。変換されたデジタル信号はＦＦＴ窓切出し部２１にて、付加されているガードインターバル長を切り捨てて、後段のポイント数切替え可能ＦＦＴ部２２に入力する。ここで、ＦＦＴのポイント数に応じて、ガードインターバルのサンプル数が変更となるため、ＦＦＴ窓切出し部２１はＦＦＴのポイント数に応じて動作するものである。
【００３５】
ＯＦＤＭ信号の待ち受け時には制御情報が伝送されている帯域のみの信号を復調するよ
うに切替部１８を設定し、１セグメント用チャネルフィルタの出力信号を後段に出力するようにする。またこの時、シンセサイザ１５の発振周波数も切替え、制御情報が伝送されている帯域の中心周波数が直流成分にダウンコンバートされるように設定する。さらにまた、Ａ／Ｄ変換部１９に供給するクロック源２０のクロック周波数も制御情報帯域成分に対してのみがナイキスト定理を満たして離散信号に変換できるように設定する。
【００３６】
すなわち、Ｍ個のセグメントで構成されるＯＦＤＭ信号であると仮定すると、全帯域成分に対してナイキスト定理を満たすように離散信号に変換する場合に比べて、１／Ｍ倍の周波数でよいため、低消費電力化が図れる。さらに、ＦＦＴポイント数も１／ＭにするようにＦＦＴ窓切出し部２１やポイント数切替え可能ＦＦＴ部２２を設定する。
【００３７】
次に制御情報によってＯＦＤＭ信号全帯域を使用して情報信号が伝送されるということが示された場合、ＯＦＤＭ信号全帯域を復調するように、切替部１８を切り替えて、全チャネル帯域フィルタ出力信号を後段に出力するように設定する。またこの時、シンセサイザ１５の発振周波数も切替え、ＯＦＤＭ信号全帯域の中心周波数が直流成分にダウンコンバートされるように設定する。
【００３８】
さらにまた、Ａ／Ｄ変換部１９に供給するクロック源２０のクロック周波数も全帯域成分に対してナイキスト定理を満たして離散信号に変換できるように設定する。すなわち、Ｎ個のセグメントで構成されるＯＦＤＭ信号であると仮定すると、１個のセグメントのみを復調する場合に比べると、Ｎ倍の周波数にする。さらに、ＦＦＴポイント数も通常のＯＦＤＭ信号を復調する場合と同じ設定にするようにＦＦＴ窓切出し部２１やポイント数切替え可能ＦＦＴ部２２を設定する。
【００３９】
このように構成することで、待ち受け時のような場合には制御情報が伝送されているセグメントのみを復調することで、周波数切替可能クロック源２０は低速クロックとなり消費電力を小さくでき、Ａ／Ｄ変換部１９からポイント数切替可能ＦＦＴ部２２を低速クロックで動作させることができるので電力消費を小さくすることができて好適である。
【００４０】
また、図５に示すように、待ち受け時に限らず、音声通信のように比較的狭帯域伝送で十分な場合に限定した１セグメントのみを受信する受信装置を構成することができ、消費電力の低減が可能となる。図５において、受信装置は、図４にある全チャネル帯域フィルタ１７と切替部１８とを備えず、周波数切替可能クロック源２０に代えて周波数固定クロック源４０を備える。
【００４１】
Ａ／Ｄ変換部１９からポイント数切替可能ＦＦＴ部２２を常時、低速クロックで動作させることができ、周波数固定クロック源４０も低速動作なので消費電力の低減が可能となる。
【００４２】
図４の構成では、限定受信するセグメント数としては１セグメントのみを示しているが、これに拘束されるものでなく、複数のセグメントを復調できるようにＬセグメント用チャネルフィルタ（Ｌ：Ｍ以下の自然数）を設けておき、切替えることも好適である。この場合、上述と同様に対応する部分を変更する必要がある事は勿論である。
【００４３】
ここで、制御情報が伝送されているセグメントは不変であっても変化してもよい。例えば、図６のように制御情報が伝送されている場合、制御情報が伝送されているセグメント番号が１、２、３、４、５、１、２、…、と変化しているため、この変化タイミングと同期させてシンセサイザ１５を、ダウンコンバート後の制御情報の中心周波数が常に直流成分となるように制御すればよい。
【００４４】
なお、どのセグメントで制御情報が伝送されるかという事に関しては、予め定めておいても、また、制御情報の中に次回以降に存在すべきセグメント番号を記載しておくことも良い。また、制御情報が伝送されているセグメントを示す情報を一定間隔毎に送信することも好適である。
【００４５】
制御情報には受信すべき情報信号のタイミングと、その時のセグメント番号を記載しておくことで、受信すべきタイミングで指定されたセグメント番号のみの情報信号を復調するように制御できる。
【００４６】
なお、小型消費電力化に特化した端末が求められる場合には、図７のように、制御情報専用の受信系統と、限定セグメント受信用の受信系統を並列に構成し、独立に復調することでできるように構成することも好適である。図７において、受信装置は、受信アンテナ１２、広帯域フィルタ１３、ミキサ２３、２５、シンセサイザ２４、２６、制御情報用復調部２７、情報信号用復調部２８、データ処理部２９から構成される。
【００４７】
受信アンテナ１２で受信された信号は広帯域フィルタ１３を経て、ミキサ２３および２５にてダウンコンバートされる。このミキサに正弦波を入力するシンセサイザの周波数は復調すべき信号帯域の中心周波数が直流成分にダウンコンバートされるように制御される。ミキサからの出力はそれぞれ、制御情報用復調部２７および情報信号用復調部２８に入力されて、制御情報および情報信号が復調される。復調された両信号はデータ処理部２９にて処理されて、画面表示や音声等に変換される。
【００４８】
このように並列に構成することで、高速大容量の通信が不要な端末の場合には、限定されたセグメントだけ復調できればよいため、情報信号用復調部の動作速度を低減させることができ、小型、低消費電力化が図れる。
【００４９】
このように復調可能セグメント数限定端末も同一ネットワークに含めた場合、端末に割当て可能なセグメント数をチェックする必要があるため、送信側では図８のようにデータベースを構成しておくと好適である。すなわち、ユーザ毎の使用可能セグメント数記憶データベース３０、ユーザ毎の割当てセグメント番号・拡散率決定部３１、各ユーザからの要求速度算出部３２、セグメント毎の多重数計算部３３等で構成する。
【００５０】
送信側では、図示しない復調部からのデータを用いて、ユーザからの要求速度を算出部３２で算出し、ユーザ毎の割当てセグメント番号・拡散率決定部３１に入力する。決定部３１ではユーザが使用できるセグメント数を調べるために、ユーザ毎の使用可能セグメント数記憶データベース３０にアクセスする。伝送すべきすべてのユーザに対して、使用可能セグメント数および要求速度を把握すると、これらの制約条件のもと、最もユーザ間の干渉が少なくなるようにセグメント番号および拡散率を決定する。ユーザ間干渉量は、セグメント毎の多重数計算部３３で計算して求め、この総和が最小になるように決定部３１において決定するものである。
【産業上の利用可能性】
【００５１】
以上のように、本発明にかかる通信方法は、直交周波数分割方式と符号分割方式とを組合わせて通信をおこなう通信方法であって、ユーザ毎に転送データのセグメント幅を決めるセグメント幅決定ステップと、セグメント幅に基づいて転送データを符号分割方式の拡散処理を行う拡散ステップと、拡散処理を行った転送データをセグメントのどこに割り当てるかを決定するセグメント割り当てステップと、セグメントに割り当てられたデータに対し直交周波数分割方式の多重を施すステップとを含む通信方法であって、セグメント化によってマルチキャリアＣＤＭＡ方式の限定受信が可能となり、端末の低所費電力化が可能となるという効果を有し、低消費電力化が必要な直交周波数分割多重方式および、これ
に符合分割多重を組み合わせたマルチキャリアＣＤＭＡ方式による通信方法を用いた携帯電話等として有用である。
【図面の簡単な説明】
【００５２】
【図１】本発明の一実施の形態における直交周波数分割多重伝送方式を示すブロック図
【図２】本発明の一実施の形態におけるセグメントとユーザとの信号多重の例を示す模式図
【図３】本発明の一実施の形態における制御情報の一例を示す概略図
【図４】本発明の一実施の形態における制御情報のみを限定受信できる受信装置の構成例を示す概略図
【図５】本発明の一実施の形態における１セグメントを専用受信できる受信装置の構成例を示す概略図
【図６】本発明の一実施の形態における時間領域および周波数領域における制御情報伝送の一例を示す概略図
【図７】本発明の一実施の形態における小型消費電力化に特化した受信端末の構成例を示す概略図
【図８】本発明の一実施の形態における送信側における割当てセグメント番号・拡散率決定の構成例を示す概略図
【符号の説明】
【００５３】
１  変調部
２  乗算部
３  Ｓ／Ｐ部
４  符合発生部
５  拡散化モジュール
６  多重・分配部
７  ＩＦＦＴ部
８  Ｐ／Ｓ部
９  ガード付加部
１０  モジュール群
１１  伝送速度決定・セグメント分配制御部
１２  受信アンテナ
１３  広帯域フィルタ
１４、２３、２５  ミキサ
１５、２４、２６  シンセサイザ
１６  １セグメント用チャネルフィルタ
１７  全チャネル帯域フィルタ
１８  切替部
１９  Ａ／Ｄ変換部
２０  周波数切替え可能クロック源
２１  ＦＦＴ窓切出し部
２２  ポイント数切替え可能ＦＦＴ部
２７  制御情報用復調部
２８  情報信号用復調部
２９  データ処理部
３０  ユーザ毎の使用可能セグメント数記憶データベース
３１  ユーザ毎の割当てセグメント番号・拡散率決定部
３２  各ユーザからの要求速度算出部
３３  セグメント毎の多重数計算部
４０  周波数固定クロック源
【図１】
2005176012.tif 000003
【図２】
2005176012.tif 000004
【図３】
2005176012.tif 000005
【図４】
2005176012.tif 000006
【図５】
2005176012.tif 000007
【図６】
2005176012.tif 000008
【図７】
2005176012.tif 000009
【図８】
2005176012.tif 000010